(57)【要約】      （修正有）【課題】シールド板の軸受からの脱落を防止し、長寿命なシールド板付き転がり軸受を提供する。【解決手段】リング状に凹溝が形成された軌道面３ｂと、軌道面を挟む一対の肩部３ａと、を外周面に備えた内輪３と、リング状に凹溝が形成された軌道面２ｂと、軌道面を挟む一対の肩部２ａと、を内周面に備えた外輪２と、内輪３の軌道面と外輪２の軌道面との間に設けられ、外輪２と内輪３とを相対回転させる複数の転動体４と、リング状の係合部５ａと、係合部の一端から略直角状に屈曲して延出するシール部５ｂとを備え、係合部５ａが外輪２の肩部に圧入固定されているシールド板５と、を備えたシールド板付き転がり軸受１において、係合部５ａの外周面に円周状に係合凸部５ｃを設けるとともに、係合凸部５ｃに対応する外輪２の肩部２ａには係合凹部２ｃとが設けられている。【選択図】図１
2017129194.tif 000002
【特許請求の範囲】
【請求項１】
リング状に凹溝が形成された軌道面と、前記軌道面を挟む一対の肩部と、を外周面に備えた内輪と、リング状に凹溝が形成された軌道面と、前記軌道面を挟む一対の肩部と、を内周面に備えた外輪と、前記内輪の前記軌道面と前記外輪の前記軌道面との間に設けられ、前記外輪と前記内輪とを相対回転させる複数の転動体と、リング状の係合部と、前記係合部の一端から略直角状に屈曲して延出するシール部とを備え、前記係合部が前記外輪の前記肩部に圧入固定されているシールド板と、を備えたシールド板付き転がり軸受において、前記係合部の外周面に円周状に係合凸部を設けるとともに、前記係合凸部に対応する前記外輪の前記肩部には係合凹部とが設けられていることを特徴とするシールド板付き転がり軸受。
【請求項２】
リング状に凹溝が形成された軌道面と、前記軌道面を挟む一対の肩部と、を外周面に備えた内輪と、リング状に凹溝が形成された軌道面と、前記軌道面を挟む一対の肩部と、を内周面に備えた外輪と、前記内輪の前記軌道面と前記外輪の前記軌道面との間に設けられ、前記外輪と前記内輪とを相対回転させる複数の転動体と、リング状の係合部と、前記係合部の一端から略直角状に屈曲して延出するシール部とを備え、前記係合部が前記内輪の前記肩部に圧入固定されているシールド板と、を備えたシールド板付き転がり軸受において、前記係合部の外周面に円周状に係合凸部を設けるとともに、前記係合凸部に対応する前記内輪の前記肩部には係合凹部とが設けられていることを特徴とするシールド板付き転がり軸受。
【発明の詳細な説明】
【技術分野】
【０００１】
本発明は、シールド板付き転がり軸受に関する。
【背景技術】
【０００２】
従来、シールド板を装着した転がり軸受としては、図５に示すように、リング状に凹溝が形成された軌道面と、前記軌道面を挟む一対の肩部と、を外周面に備えた内輪と、リング状に凹溝が形成された軌道面と、前記軌道面を挟む一対の肩部と、を内周面に備えた外輪と、前記内輪の前記軌道面と前記外輪の前記軌道面との間に設けられ、前記外輪と前記内輪とを相対回転させる複数の転動体によって構成された軸受において、外輪の前記肩部にシールド板の一端を圧入固定させ、シールド板の他端を軸受軸方向端部にほぼ面一になるように配置させるとともに、前記内輪の肩部にわずかな隙間をもって対向させて、軸受内部空間を保護している。シールド板は外輪に対してかしめ固定されており、シールド板の一端は円周状において分割された円弧状の固定部が形成されており、外輪の肩部の中間位置に設けられた段部に対して前記固定部を押圧変形させて固定されている。このように構成された軸受のシールド構造では、軸受軸方向における軸受の一端と他端位置が異なるため、シールド板に傾斜面を設けて互いを一体的に連結している。かかる構成を採用した軸受の場合、前記傾斜面のために軸受内部空間を潤滑剤保持等の目的で最大限有効利用することが困難となる。
【０００３】
そこで、例えば特許文献１においては、図４に示すように、シールド板を固定部とシール部とをＬ字状に形成し、軸受に固定することで軸受内部空間を最大限に利用できるシールド板付き転がり軸受が公知となっている。
【先行技術文献】
【特許文献】
【０００４】
【特許文献１】特開２００３−１６６５５１号
【発明の概要】
【発明が解決しようとする課題】
【０００５】
しかしながら、特許文献１のシールド板によると、固定部は外輪に対して圧入固定のみを採用しているため、軸受の温度変化による膨張や過大な外力が入力した際に、シールド板が軸受から脱落する虞があった。シールド板の脱落によって、軸受内部空間に保持されていた潤滑剤等が失われ、潤滑不良等に起因して軸受寿命を低下させる虞が懸念されていた。
【０００６】
本発明は、上記課題に鑑みてなされたものであり、シールド板の軸受からの脱落を防止し、長寿命なシールド板付き転がり軸受を提供することを目的とする。
【課題を解決するための手段】
【０００７】
前記課題を解決するため本発明は、リング状に凹溝が形成された軌道面と、前記軌道面を挟む一対の肩部と、を外周面に備えた内輪と、リング状に凹溝が形成された軌道面と、前記軌道面を挟む一対の肩部と、を内周面に備えた外輪と、前記内輪の前記軌道面と前記外輪の前記軌道面との間に設けられ、前記外輪と前記内輪とを相対回転させる複数の転動体と、リング状の係合部と、前記係合部の一端から略直角状に屈曲して延出するシール部とを備え、前記係合部が前記外輪の前記肩部に圧入固定されているシールド板と、を備えたシールド板付き転がり軸受において、前記係合部の外周面に円周状に係合凸部を設けるとともに、前記係合凸部に対応する前記外輪の前記肩部には係合凹部とが設けられていることを特徴とする。
【発明の効果】
【０００８】
本発明によれば、シールド板の軸受からの脱落を防止し、長寿命なシールド板付き転がり軸受を提供することができる。
【図面の簡単な説明】
【０００９】
【図１】本発明に係るシールド板付き転がり軸受の断面図である。
【図２】図１におけるＡ部拡大図である。
【図３】本発明に係る他の実施形態のシールド板付き転がり軸受の断面図である。
【図４】従来のシールド板付き転がり軸受の断面図である。
【図５】従来のシールド板付き転がり軸受の断面図である。
【発明を実施するための形態】
【００１０】
以下、実施形態について、図１を参照しながら説明する。本発明に係るシールド板付き転がり軸受１は、リング状に凹溝が形成された軌道面２ｂと、前記軌道面２ｂを挟む一対の肩部２ａと、を外輪２の内周面に備えている。また、リング状に凹溝が形成された軌道面３ｂと、前記軌道面３ｂを挟む一対の肩部３ａとを内輪３の外周面に備えている。さらに、内輪２の軌道面２ｂと外輪３の軌道面３ｂとの間に、内輪２と外輪３とを相対回転可能にさせる複数の転動体４が設けられている。
【００１１】
そして、シールド板５が、リング状の係合部５ａと、リンク状の係合部５ａの一端から略直角状に屈曲して延出するシール部５ｂとによって構成されており、シール部５ｂの先端が内輪の肩部３ａにわずかな隙間をもって対向する一方、係合部５ａが外輪の肩部２ａに圧入固定することでシールド板５を外輪２に固定している。ここで、リング状の係合部５ａの外周面には周方向にわたって係合凸部５ｃが設けられ、係合凸部５ｃに対応する外輪２の肩部２ａには係合凹部２ｃが設けられている。
【００１２】
そして、シールド板５を外輪２へ装着する際、係合凸部５ｃが外輪の肩部２ａを弾性変形しながら挿入され、係合凹部２ｃにて位置決め固定されることで、外輪とシールド板の熱膨張差に起因するシールド板の外輪からの脱落、軸受に対する過大な外力に起因するシールド板の外輪からの脱落等を防止している。またシールド板の外輪への組付け過程において、係合凸部５ｃが係合凹部２ｃに入り込み、係合凸部に作用していた弾性力が開放されるため、係合凸部と係合凹部間に緊迫力が生じて、シールド板５と外輪の肩部２ａの間は密封状態となり、図示しない軸受内部空間に保持されている潤滑剤の流出を防止している。さらに、外輪に装着したシールド板のガタつきを防止するために、図２に示すように、係合凸部の曲率を係合凹部の曲率よりも小さくしてもよい。また、シールド板５を外輪の所定の位置を越えて、軸受内へ挿入されることを防止するために、外輪の肩部２ａに段部２ｄを設けて、前記段部に係合部５ａの端部が突き当たる構成としても良い。
【００１３】
また、他の実施形態としては、前記のシールド板を外輪肩部に固定する形態に代わり、図３に示すように、シールド板を内輪の肩部に固定することもできる。この場合、内輪の肩部３ａに係合凹部３ｃや段部等を設けて、シールド板と外輪、内輪の構成上の関係が上記の実施形態と逆になるように設けるだけでよい。
【００１４】
ここまで説明してきた本実施形態は、本発明の一実施形態にすぎず、何等これらに限定して解釈されるものではなく、本発明の範囲内で適宜設定変更可能である。例えば、係合凸部や係合凹部などを円周状に断続的に設けても良く、玉軸受に限らず円筒ころ軸受や、円すいころ軸受などにも適用できる。
【符号の説明】
【００１５】
１  シールド板付き転がり軸受
２  外輪
２ａ  肩部
２ｂ  軌道面
２ｃ  係合凹部
２ｄ  段部
３  内輪
３ａ  肩部
３ｂ  軌道面
４  転動体
５  シールド板
５ａ  係合部
５ｂ  シール部
５ｃ  係合凸部
【図１】
2017129194.tif 000003
【図２】
2017129194.tif 000004
【図３】
2017129194.tif 000005
【図４】
2017129194.tif 000006
【図５】
2017129194.tif 000007